(57)【要約】【課題】内蔵メモリから記録メディアに画像ファイルをコピーする場合において、該コピー対象の画像ファイルに係る登録情報を新規に生成し、記録メディアのデータベースに登録することで、登録情報と画像ファイルとの整合性を図る。【解決手段】この撮像装置は、画像ファイルを記憶する内蔵メモリ４と、登録情報を記憶するデータベースと６ａ画像ファイル６ｂとを記憶するもので、撮像装置に対して着脱自在な記録メディア６と、所定のタイミングで、内蔵メモリ４の画像ファイルを記録メディア６にコピーするときに、コピー対象の画像ファイル６ｂの登録情報を生成し、上記データベース６ａに追加することで、画像ファイル６ｂと登録情報との整合性を図る制御部１とを備えている。【選択図】      図１
2009171106.tif 000002
【特許請求の範囲】
【請求項１】
画像ファイルを記憶する第１の記憶手段と、
登録情報を記憶するデータベースと画像ファイルとを記憶するもので、撮像装置に対して着脱自在な第２の記憶手段と、
所定のタイミングで、上記第１の記憶手段の画像ファイルを上記第２の記憶手段にコピーするときに、コピー対象の画像ファイルの登録情報を生成し、上記データベースに追加することで、画像ファイルと登録情報との整合性を図る制御手段とを備えた
ことを特徴とする撮像装置。
【請求項２】
上記制御手段は、上記コピー対象の画像ファイルのファイルパスを発番し、付帯情報を取得し、上記登録情報として上記データベースに追加する
ことを特徴とする請求項１に記載の撮像装置。
【請求項３】
上記所定のタイミングとは、画像ファイルに基づく再生動作が開始された後、上記第２の記憶手段の挿入を検出したときである
ことを特徴とする請求項２に記載の撮像装置。
【請求項４】
上記所定のタイミングとは、上記第２の記憶手段の挿入を検出した後、画像ファイルに基づく再生動作が開始されたときである
ことを特徴とする請求項２に記載の撮像装置。
【請求項５】
制御手段が、所定のタイミングで、第１の記憶手段の画像ファイルを第２の記憶手段にコピーするときに、コピー対象の画像ファイルの登録情報を生成し、上記データベースに追加することで、画像ファイルと登録情報との整合性を図る
ことを特徴とする画像管理方法。
【請求項６】
コンピュータが、
所定のタイミングで、上記第１の記憶手段の画像ファイルを上記第２の記憶手段にコピーするときに、コピー対象の画像ファイルの登録情報を生成し、上記データベースに追加することで、画像ファイルと登録情報との整合性を図る制御手段として機能する
ことを特徴とするプログラム。
【発明の詳細な説明】
【技術分野】
【０００１】
本発明は、着脱自在の記録メディアに画像データを記録することが可能なデジタルカメラ等の撮像装置、画像管理方法及びプログラムに関する。
【背景技術】
【０００２】
従来、デジタルカメラ等の撮像装置では、画像データをメモリースティック（登録商標）等の本体に着脱自在な記録メディアに記録することが可能となっている。このように記録メディアに記録された画像データに基づき、装置本体でもＬＣＤ等の表示部を介して画像を閲覧できると共に、該記録メディアをパーソナルコンピュータ等の外部装置に装着すれば、該外部装置により画像データを読み出し格納し、表示することも可能である。
【０００３】
また、今日では、内蔵メモリも大容量化しており、上記記録メディアと同様に多量の画像データを格納することができるようになっている。内蔵メモリに画像データが記憶された場合において、該画像データを外部装置に格納乃至は閲覧するときには、該内蔵メモリの画像データを記憶メディアにコピーすることが一般になされている。
【０００４】
ここで、例えば特許文献１では、メモリカードと内蔵メモリに記憶されている画像データファイルが合致するか比較するために画像ファイルの照合を行い、内蔵メモリに記憶された画像データファイルの中からメモリカードに記憶されていない画像データファイルを検出すると、該当する画像データファイルを内蔵メモリからメモリカードにコピーするデジタルカメラが開示されている（同文献１の段落［００３９］参照）。
【０００５】
【特許文献１】特開２００７−１７４５５６号公報
【発明の開示】
【発明が解決しようとする課題】
【０００６】
しかしながら、特許文献１に係る技術では、登録情報をメモリカードのデータベースにより管理することについては何ら開示も示唆もされていない。即ち、メモリカードが未装着時に内蔵メモリに記憶された画像ファイルを記録メディアにコピーする場合に、そもそも記録メディアがデータベースを有していないので、該コピー対象の画像ファイルに係る登録情報を該データベースに格納することはできず、データベースを利用した機能（例えば、お気に情報に基づく選択的表示）を実行することはできない。
【０００７】
そこで、本発明は、内蔵メモリから記録メディアに画像ファイルをコピーする場合において、該コピー対象の画像ファイルに係る登録情報を新規に生成し、記録メディアのデータベースに登録することで、登録情報と画像ファイルとの整合性を図り、データベースを利用した機能の実行を可能とすることを課題とする。
【課題を解決するための手段】
【０００８】
本発明の第１の観点による撮像装置は、画像ファイルを記憶する第１の記憶手段と、登録情報を記憶するデータベースと画像ファイルとを記憶するもので、撮像装置に対して着脱自在な第２の記憶手段と、所定のタイミングで、上記第１の記憶手段の画像ファイルを上記第２の記憶手段にコピーするときに、コピー対象の画像ファイルの登録情報を生成し、上記データベースに追加することで、画像ファイルと登録情報との整合性を図る制御手段とを備える。
【０００９】
従って、内蔵メモリ等の第１の記憶手段からデータベースを備えた記録メディア等の第２の記憶手段に画像ファイルがコピーされる場合に、登録情報が新規に生成され、登録情報と画像ファイルとの整合性が図られることになる。
【００１０】
この第１の観点において、上記制御手段が、上記コピー対象の画像ファイルのファイルパスを発番し、付帯情報を取得し、上記登録情報として上記データベースに追加するようにしてもよい。更に、上記所定のタイミングとは、画像ファイルに基づく再生動作が開始された後、上記第２の記憶手段の挿入を検出したとき、或いは、上記第２の記憶手段の挿入を検出した後、画像ファイルに基づく再生動作が開始されたときであってよい。
【００１１】
本発明の第２の観点による画像管理方法は、制御手段が、所定のタイミングで、第１の記憶手段の画像ファイルを第２の記憶手段にコピーするときに、コピー対象の画像ファイルの登録情報を生成し、上記データベースに追加することで、画像ファイルと登録情報との整合性を図る。
【００１２】
従って、内蔵メモリ等の第１の記憶手段からデータベースを備えた記録メディア等の第２の記憶手段に画像ファイルがコピーされる場合に、登録情報が新規に生成され、登録情報と画像ファイルとの整合性が図られることになる。
【００１３】
本発明の第３の観点によるプログラムは、コンピュータが、所定のタイミングで、上記第１の記憶手段の画像ファイルを上記第２の記憶手段にコピーするときに、コピー対象の画像ファイルの登録情報を生成し、上記データベースに追加することで、画像ファイルと登録情報との整合性を図る制御手段として機能する。
【００１４】
従って、プログラムに基づくソフトウェア処理により、内蔵メモリ等の第１の記憶手段からデータベースを備えた記録メディア等の第２の記憶手段に画像ファイルがコピーされる場合に、登録情報が新規に生成され、登録情報と画像ファイルとの整合性が図られることになる。
【発明の効果】
【００１５】
本発明によれば、内蔵メモリから記録メディアに画像ファイルをコピーする場合において、該コピー対象の画像ファイルに係る登録情報を新規に生成し、記録メディアのデータベースに登録することで、登録情報と画像ファイルとの整合性を図り、データベースを利用した機能の実行を可能とする撮像装置、画像管理方法及びプログラムを提供することができる。
【発明を実施するための最良の形態】
【００１６】
以下、図面を参照して、本発明を実施するための最良の形態（以下、単に実施の形態と称する）について詳細に説明する。
【００１７】
本発明の実施の形態に係る撮像装置は、記録メディアの未装着時や容量不足等の場合に内蔵メモリに画像ファイルを記憶し、その後、内蔵メモリから記録メディアに画像をコピーする場合において、該コピー対象の画像ファイルに係る登録情報を新規に生成し、記録メディアのデータベースに登録することで、登録情報と画像データファイルとの整合性を図り、データベースを利用した機能の実行を可能とする。以下、詳述する。
【００１８】
図１には本発明の第１の実施の形態に係る撮像装置の構成を概念的に示し説明する。
【００１９】
この図１に示されるように、この撮像装置は、全体の制御を司る制御手段としての制御部１と操作入力部３、第１の記憶手段としての内蔵メモリ４、表示部５、そして第２の記憶手段としての記録メディア６を備えている。
【００２０】
制御部１は、内蔵メモリ４に格納されている制御プログラム２を読み出し実行することで、少なくとも残容量チェック機能２ａ、ファイルパス発番機能２ｂ、付帯データ取得機能２ｃ、登録処理実行機能２ｄ、主制御機能２ｅを奏する。記録メディア６は、登録情報（例えばファイルパス情報や日付情報等）を格納するためのデータベース（以下、ＤＢと略記する）６ａと画像データが格納される画像ファイル６ｂを備えている。
【００２１】
このような構成において、残容量チェック機能２ａとは、記録メディア６の残容量を検出する機能である。ファイルパス発番機能２ｂとは、記録メディア６に画像ファイル６ｂをコピーする場合に新規にファイルパスを初番する機能である。付帯データ取得機能２ｃとは、日付情報や顔情報等の付帯データを画像ファイル６ｂより取得する機能である。登録処理実行機能２ｄとは、新たに画像ファイル６ｂが記録メディア６に追加された場合にＤＢ６ａに該画像ファイル６ｂの登録情報を新たに登録する機能である。主制御機能２ｅとは、その他の処理を実行する機能である。
【００２２】
ここで、図２の概念図を参照して、特徴的な処理の概要を説明する。
【００２３】
制御部１は、主制御機能２ｅにより、記録メディア６の装着／未装着を判定し（＃１）、記録メディア６が装着されている場合には、コピー機能を開始するための入り口画面を表示部５に表示する（＃２）。この画面において、コピーが選択された場合には、実行確認画面を表示部５に表示する（＃３）。そして、実行が選択されると、実行中画面を表示部５に表示し（＃４）、エラーが生じない場合には、コピー機能の入り口画面に自動的に遷移する。一方、エラーが発生した場合には、エラー表示画面を表示部５に表示し（＃５）、コピー機能の入り口画面に遷移する。
【００２４】
次に、図３の概念図を参照して、内蔵メモリ４から記録メディア６へ画像ファイルをコピーする場合の登録情報の登録に係る処理を詳述する。
【００２５】
記録メディア６内のＤＢ６ａには、図３に示されるように、ファイルパス情報、お気に入り情報、日付情報、顔情報等が「登録情報」として格納されている。このファイルパス情報は、例えば「DCIM/101MSDCF/DSC001.JPG」のようにファイル名と画像データとが対応付けられるように定義されており、更にＩＤと対応付けられている。
【００２６】
例えば、再生モードに入り、画像を再生するときは、記録メディア６のＤＢ６ａから該当ファイルのファイルパス情報を取得し、該ファイルパス情報が示す画像ファイル（例えば、静止画ファイル又は静止画ファイルのサムネイル）６ｂを再生する。
【００２７】
ここで、図３に示されるように、内蔵メモリ４から記録メディア６に画像ファイル６ｂがコピーされる場合を想定する（＃１１）。この場合、制御部１は、制御プログラム２を実行することで、登録処理実行機能２ｄを奏し、次のような処理を実行する。
【００２８】
即ち、記録メディア６のＤＢ６ａには、登録情報としてファイルパス情報、お気に入り情報、日付情報、顔情報等が格納されている。
【００２９】
このファイルパス情報は、図３に示されるように、  
１００／ＤＣＩＭ／１０１ＭＳＤＣＦ／ＤＳＣ０００１．ＪＰＧ  
１０１／ＤＣＩＭ／１０１ＭＳＤＣＦ／ＤＳＣ０００２．ＪＰＧ  
１０２／ＤＣＩＭ／１０１ＭＳＤＣＦ／ＤＳＣ０００３．ＪＰＧ  
・・・  
ｎ／ＤＣＩＭ／１０１ＭＳＤＣＦ／ＤＳＣｘｘｘｘ．ＪＰＧ  
のように、ＩＤ１００，１０１…ｎと対応付けられている。
【００３０】
制御部１は、ファイルパス発番機能２ｂにより、このファイルパス情報と画像ファイル６ｂとを比較し、画像ファイルに対応する登録情報が存在しない場合には、ファイルパスを発番する（＃１２）。この例では、追加されたＤＳＣ０００３．ＪＰＧのファイルパス情報が存在しないので、該画像ファイルのファイルパスを新たに初番する。
【００３１】
更に、制御部１は、付帯データ取得機能２ｃにより、追加された画像ファイルに係る付帯データ（例えば、日付情報、顔情報等）を取得し、登録処理実行機能２ｄにより登録処理を実行することになる（＃１３）。
【００３２】
以下、図３のフローチャートを参照して、本発明の第１の実施の形態に係る撮像装置による特徴的な処理についてさらに詳述する。
【００３３】
尚、本処理には、例えば、再生モードに移行した後、記録メディア６の装着を検出したとき、或いは記録メディア６の装着を検出したときであって再生モード中の場合に移行する。但し、開始タイミングはこれには限定されない。
【００３４】
処理を開始すると、制御部１は、残容量チェック機能２ａにより、記録メディア６の残容量をチェックする（ステップＳ１）。このチェック結果に基づき、コピー先となる着脱可能な記録メディア６に画像をコピーするのに十分な空き容量があるか、ＤＢ登録によるＤＢファイルサイズ増に耐えられる空き容量があるかを判断する（ステップＳ２）。
【００３５】
ここで、空き容量が足りない場合は（ステップＳ２をＮｏに分岐）、エラーとし、この処理を終了する。一方、空き容量が十分である場合には、制御部１は、着脱可能な記録メディア６への画像ファイルをコピーする（ステップＳ３）。
【００３６】
続いて、例えばＤＣＦ規格等に準じてフォルダ、ファイルパス発番を行い（ステップＳ４）、コピーした画像ファイルに付帯する種々のデータを取得する（ステップＳ５）。この付帯データとしては、例えばExifデータ、顔検出アルゴリズムによる顔検出の結果である顔情報、クラスタリングエンジンによる日時情等がある。
【００３７】
こうして、これら付帯データを登録情報として記録メディア６のＤＢ６ａに登録し（ステップＳ６）、所定のＤＢ６ａ書き込み完了処理、更にはＤＢ６ａの壊れ対策のためのバックアック処理を実行する（ステップＳ７）。こうして追加された全ての画像ファイルについて処理を実施したか否かを判断し（ステップＳ８）、全ての画像ファイルについて処理を完了するまでステップＳ１乃至Ｓ８の処理を繰り返し、全ての画像ファイルについて処理を完了すると（ステップＳ８をＹｅｓに分岐）、この処理を終了する。
【００３８】
以上説明したように、本発明の第１の実施の形態によれば、記録メディア６の未装着時等に内蔵メモリ４に画像ファイルが記憶された場合に、その後、例えば再生モードに移行したとき等に、装着された記録メディア６に画像をコピーする場合において、該コピー対象の画像ファイルに係るファイルパスを新たに生成し、付帯データを取得し、それらを登録情報として記録メディア６のＤＢ６ａに新規に登録することで、登録情報と画像ファイルとの整合性を図り、ＤＢ６ａを利用した機能の実行が可能となる。
【００３９】
（第２の実施の形態）
次に、本発明の第２の実施の形態について説明する。
【００４０】
図５には、本発明の第２の実施の形態に係るデジタルカメラの構成を示し説明する。
【００４１】
この第２の実施の形態は、デジタルカメラへの適用を更に具現化したものである。
【００４２】
図５に示されるように、デジタルカメラには、撮影レンズ、絞り、フォーカスレンズ等を概念上含むレンズ部１０１が配設されている。このレンズ部１０１を介して入射する被写体光の光路上には、ＣＣＤ(Charge Coupled Device)等の撮像素子１２１が配置されている。この撮像素子１２１の出力は、アナログ信号処理部１２２、アナログ／ディジタル(A/D; Analog/Digital)変換部１２３を介してディジタル信号処理部１２４の入力に接続されている。このディジタル信号処理部１２４の出力は、液晶パネル１１１の入力に電気的に接続されている。レンズ部１０１には、それを構成する絞りの調整やフォーカスレンズの移動を行うためのアクチュエータ１３３が機械的に接続されている。このアクチュエータ１３３は、その駆動制御を行うためのモータドライバ１３２に接続されている。
【００４３】
さらに、デジタルカメラには、全体の制御を司るＣＰＵ(Central Processing Unit)１２６が配設されている。そして、該ＣＰＵ１２６は、モータドライバ１３２、タイミングジェネレータ(TG; Timing Generator)１３１、内蔵メモリ１２５、操作部１２７、ドライバ１２８、プログラムＲＯＭ(Read Only Memory)１２９、ＲＡＭ(Random Access Memory)１３０、タッチパネル１１２と接続されている。
【００４４】
尚、ＣＰＵ１２６がプログラムＲＯＭ１２９に格納された制御プログラムを読み出し実行することで、制御手段、特に残容量チェック手段、ファイルパス発番手段、付帯データ取得手段、登録処理実行手段、主制御手段等として機能する。
【００４５】
タッチパネル１１２と液晶パネル１１１とでタッチスクリーン１１０が構成される。内蔵メモリ１２５は、例えばフラッシュメモリ等の大容量メモリである。プログラムＲＯＭ１２９は、ＣＰＵ１２６が実行するプログラム、該プログラムを実行する上で必要なデータを記憶するものである。そして、ＲＡＭ１３０は、ＣＰＵ１２６が各種処理を実行する際のワークエリアとして必要なプログラムやデータを一時記憶する為のものである。
【００４６】
このような構成において、ＣＰＵ１２６は、プログラムＲＯＭ１２９に記録されているプログラムを実行することにより撮像装置を構成する各部を制御し、タッチパネル１１２からの信号や、操作部１２７からの信号に応じて、所定の処理を実行する。操作部１２７は、ユーザによって操作され、該操作に対応した信号をＣＰＵ２３に供給する。
【００４７】
即ち、タッチパネル１１２の任意の位置に指が触れる等して押下されると、つまりユーザにより所定の操作入力がなされると、該タッチパネル１１２より押下された位置の座標が検出され、当該座標に係る信号がＣＰＵ１２６に送出され、該ＣＰＵ１２６は該座標に対応する所定の情報を取得し、該情報に基づいて所定の処理を実行する。
【００４８】
レンズ部１０１を介して被写体光が入射すると、撮像素子１２１は被写体光を撮像して光電変換し、アナログの画像信号を出力する。このとき、モータドライバ１３２は、ＣＰＵ１２６の制御に基づきアクチュエータ１３３を駆動する。この駆動により、レンズ部１０１は、撮像装置の筐体から露出／収納される。また、レンズ部１０１を構成する絞りの調整や、レンズ部１０１を構成するフォーカスレンズの移動が行われる。
【００４９】
さらに、タイミングジェネレータ１３１は、ＣＰＵ１２６の制御に基づいて、タイミング信号を撮像素子１２１に供給する。このタイミング信号により撮像素子１２１における露出時間等が制御される。撮像素子１２１は、このタイミングジェネレータ１３１から供給されるタイミング信号に基づいて動作することにより、レンズ部１０１を介して入射する被写体からの光を受光して光電変換を行い、受光量に応じた電気信号としてのアナログの画像信号を、アナログ信号処理部１２２に供給する。
【００５０】
アナログ信号処理部１２２は、ＣＰＵ１２６の制御に基づいて、撮像素子１２１から送出されたアナログの画像信号に対してアナログ信号処理（増幅等）を行い、その結果得られる画像信号を、Ａ／Ｄ変換部１２３に供給する。
【００５１】
その後、Ａ／Ｄ変換部１２３は、ＣＰＵ１２６の制御に基づいて、アナログ信号処理部１２２からのアナログの画像信号をＡ／Ｄ変換し、その結果得られるディジタルの画像データをディジタル信号処理部１２４に供給する。ディジタル信号処理部１２４は、ＣＰＵ１２６の制御に基づいてＡ／Ｄ変換部１２３からのディジタルの画像信号に対し、ノイズ除去処理等のディジタル信号処理を施し、液晶パネル１１１に供給して表示させる。
【００５２】
ディジタル信号処理部１２４は、Ａ／Ｄ変換部１２３からのディジタルの画像信号を例えばＪＰＥＧ(Joint Photographic Experts Group)方式等で圧縮し、その結果、得られる圧縮されたディジタルの画像信号を、内蔵メモリ１２５に供給して記録させる。あるいはドライバ１２８を介してＤＢを備えた記録メディア１３４に記録する。
【００５３】
更に、ディジタル信号処理部１２４は、記録部１２５に記録された圧縮された画像データを伸張し、その結果得られる画像データを液晶パネル１１１に供給して表示させる。つまり、ディジタル信号処理部１２４は、Ａ／Ｄ変換部１２３からの画像データを、液晶パネル１１１に供給し、液晶パネル１１１では所謂スルー画が表示される。
【００５４】
その後、ユーザが操作部１２７に概念上含まれるシャッタボタンを押下すると、操作部１２７からレリーズ信号がＣＰＵ１２６に供給される。こうして、レリーズ信号がＣＰＵ１２６に供給されると、該ＣＰＵ１２６はディジタル信号処理部１２４を制御し、Ａ／Ｄ変換部１２３からディジタル信号処理部１２４に供給された画像データを圧縮させ、この圧縮された画像データを内蔵メモリ１２５あるいはドライバ１２８を介して記録メディア１３４に記録させる。
【００５５】
ここで、特徴的なのは、以下の作用である。
【００５６】
即ち、例えば記録メディア１３４が未装着の場合に撮像処理がなされると、ディジタル信号処理部１２４による所定の画像処理が施された画像データ（画像ファイル）は、内蔵メモリ１２５に記憶されることになる。但し、内蔵メモリは、記録メディア１３４のように登録情報を格納するＤＢを有してはいないので、画像ファイルのみが内蔵メモリ１２５に格納されることになる。その後、記録メディア１３４の装着をＣＰＵ１２６が検出した後、再生モード中である場合等においては、内蔵メモリ１２５に格納されている画像ファイルを記録メディア１３４側にコピーする。このとき、該画像ファイルについて新規にファイルパスを発番し、日付情報や顔情報等の登録情報を生成し、記録メディア６のＤＢに該登録情報を追加することになる。ＤＢ自体が存在しない場合には、ＤＢ自体を新規に生成することになる。こうして、内蔵メモリ１２５からコピーされた画像ファイルと登録情報との整合性が図られることになる。
【００５７】
以上説明したように、本発明の第１及び第２の実施の形態によれば、以下の効果が奏される。即ち、画像ファイルを記憶する内蔵メモリ４と、登録情報を記憶するＤＢ６ａと画像ファイル６ｂとを記憶するもので撮像装置に対して着脱自在な記録メディア６と、所定のタイミングで、内蔵メモリ４の画像ファイルを記録メディア６にコピーするときに、コピー対象の画像ファイル６ｂの登録情報を生成し、上記データベース６ａに追加することで、画像ファイル６ｂと登録情報との整合性を図る制御部１とを備えているので、内蔵メモリ４から記録メディア６に画像ファイルをコピーする場合において、登録情報と画像ファイルとの整合性を図ることが可能となる。
【００５８】
以上、本発明の実施の形態について説明したが、本発明はこれに限定されることなくその趣旨を逸脱しない範囲で種々の改良・変更が可能であることは勿論である。
【００５９】
例えば、内蔵メモリから記録メディア６への画像ファイルのコピー並びに登録情報の新規生成のタイミングは、上記タイミングに限定されることなく、撮像装置をＡＣ電源に接続したときなどであってもよいことは勿論である。
【図面の簡単な説明】
【００６０】
【図１】本発明の第１の実施の形態に係る撮像装置の構成図。
【図２】画像ファイルのコピーに係る処理の流れを示す概念図。
【図３】本発明の第１の実施の形態に係る撮像装置の特徴的な処理を示す概念図。
【図４】本発明の第１の実施の形態に係る撮像装置による特徴的な処理について詳述するフローチャート。
【図５】本発明の第２の実施の形態に係るデジタルカメラの構成図。
【符号の説明】
【００６１】
１…制御部、２…制御プログラム、２ａ…残容量チェック機能、２ｂ…ファイルパス発番機能、２ｃ…付帯データ取得機能、２ｄ…登録処理実行機能、２ｅ…主制御機能、３…操作入力部、４…内蔵メモリ、５…表示部、６…記録メディア、６ａ…ＤＢ、６ｂ…画像ファイル
【図１】
2009171106.tif 000003
【図２】
2009171106.tif 000004
【図３】
2009171106.tif 000005
【図４】
2009171106.tif 000006
【図５】
2009171106.tif 000007